【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】  第１の変調方式でディジタル変調されて伝送された信号を受信する受信ステップと、
前記第１の変調方式と異なる第２の変調方式でディジタル変調して伝送した場合による前記第２の変調方式の通信品質を、受信した前記第１の変調方式のディジタル変調信号の信号点位置に対するしきい値判定により、擬似的に推定する通信品質擬似推定ステップと
を有する通信品質推定方法。
【請求項２】  前記通信品質疑似推定ステップは、
順次入力される前記第１の変調方式でディジタル変調された第１のディジタル変調信号の各シンボルのＩＱ平面上での平均位置と、前記第２の変調方式でディジタル変調される第２のディジタル変調信号の各シンボルのＩＱ平面上での理論上の分布状態とに基づいてＩＱ平面上でのしきい値を算出するしきい値算出ステップと、
順次入力される前記第１のディジタル変調信号の各シンボルのＩＱ平面上での位置を前記しきい値と順次比較判定することにより、前記第２のディジタル変調信号の擬似的ビット誤り率を前記通信品質として算出する擬似的ビット誤り率算出ステップと
を有する請求項１に記載の通信品質推定方法。
【請求項３】  前記通信品質擬似推定ステップは、
順次入力される前記第１の変調方式でディジタル変調された第１のディジタル変調信号の各シンボルのＩＱ平面上での平均位置と、前記第２の変調方式でディジタル変調される第２のディジタル変調信号の各シンボルのＩＱ平面上での理論上の分布状態とに基づいてＩＱ平面上でのしきい値を算出するしきい値算出ステップと、
順次入力される前記第１のディジタル変調信号の各シンボルのＩＱ平面上での位置を前記しきい値と順次比較判定することにより、前記第２変調方式で信号をディジタル変調して伝送した場合のビット誤りを擬似的に検出し、検出結果を前記通信品質として出力する擬似誤り検出ステップと
を有する請求項１に記載の通信品質推定方法。
【請求項４】  前記第１の変調方式は、前記第２の変調方式より誤り耐性が高い、請求項１から請求項３のいずれかに記載の通信品質推定方法。
【請求項５】  前記第１の変調方式の平均信号点間距離は、前記第２の変調方式の平均信号点間距離より長い、請求項１から請求項３のいずれかに記載の通信品質推定方法。
【請求項６】  前記第１のディジタル変調信号はＰＳＫ変調信号であると共に前記第２のディジタル変調信号は多値ＱＡＭ変調信号であり、
前記しきい値算出ステップでは、前記多値ＱＡＭ変調信号において隣接する信号点間のＩ成分及びＱ成分毎の振幅しきい値に相当する値を考慮して前記しきい値を算出する
請求項２又は請求項３に記載の通信品質推定方法。
【請求項７】  前記第１のディジタル変調信号はＰＳＫ変調信号であると共に前記第２のディジタル変調信号は第１のディジタル変調信号よりも多相の多相ＰＳＫ変調信号であり、
前記しきい値算出ステップでは、前記多相ＰＳＫ変調信号において隣接する信号点間の位相成分を考慮して前記しきい値を算出する
請求項２又は請求項３に記載の通信品質推定方法。
【請求項８】  前記擬似的ビット誤り率算出ステップでは、順次入力される前記第１のディジタル変調信号の各シンボルのＩＱ平面上での位置を前記しきい値と順次比較判定することにより擬似的ビット誤り率を算出した後、算出した擬似的ビット誤り率に所定の補正値を乗じることにより最終的な擬似的ビット誤り率を求める
請求項２に記載の通信品質推定方法。
【請求項９】  前記第１のディジタル変調信号には、定期的にパイロット信号が挿入されており、
前記しきい値算出ステップでは、当該パイロット信号のＩＱ平面上での位置と、第２のディジタル変調信号の各シンボルのＩＱ平面上での理論上の分布状態とに基づいてＩＱ平面上でのしきい値を算出し、
前記擬似的ビット誤り率算出ステップでは、順次入力されるパイロット信号のＩＱ平面上での位置を前記しきい値と順次比較判定することにより、前記第２のディジタル変調信号の擬似的ビット誤り率を算出する
請求項２に記載の通信品質推定方法。
【請求項１０】  前記第１のディジタル変調信号には、定期的にパイロット信号が挿入されており、
前記しきい値算出ステップでは、当該パイロット信号のＩＱ平面上での位置と、第２のディジタル変調信号の各シンボルのＩＱ平面上での理論上の分布状態とに基づいてＩＱ平面上でのしきい値を算出し、
前記擬似誤り検出ステップでは、順次入力されるパイロット信号のＩＱ平面上での位置を前記しきい値と順次比較判定することにより、前記第２の変調方式で信号をディジタル変調して伝送した場合のビット誤りを擬似的に検出する
請求項３に記載の通信品質推定方法。
【請求項１１】  前記第１のディジタル変調信号は、所定の箇所にユニークワード系列が挿入された信号であり、
前記しきい値算出ステップでは、当該ユニークワード系列のＩＱ平面上での位置と、第２のディジタル変調信号の各シンボルのＩＱ平面上での理論上の分布状態とに基づいてＩＱ平面上でのしきい値を算出し、
前記擬似的ビット誤り率算出ステップでは、順次入力されるユニークワード系列のＩＱ平面上での位置を前記しきい値と順次比較判定することにより、前記第２のディジタル変調信号の擬似的ビット誤り率を算出する
請求項２に記載の通信品質推定方法。
【請求項１２】  前記第１のディジタル変調信号は、所定の箇所にユニークワード系列が挿入された信号であり、
前記しきい値算出ステップでは、当該ユニークワード系列のＩＱ平面上での位置と、第２のディジタル変調信号の各シンボルのＩＱ平面上での理論上の分布状態とに基づいてＩＱ平面上でのしきい値を算出し、
前記擬似誤り検出ステップでは、順次入力されるユニークワード系列のＩＱ平面上での位置を前記しきい値と順次比較判定することにより、前記第２の変調方式で信号をディジタル変調して伝送した場合のビット誤りを擬似的に検出する
請求項３に記載の通信品質推定方法。
【請求項１３】  信号の誤り訂正を行う所定の単位内で前記誤り判定ステップにおいて検出された誤りの回数を計数する誤り計数ステップと、
前記誤り計数ステップにおいて検出された誤りの回数に基づき、第２の変調方式で伝送された場合に、信号を誤り訂正可能か否か判断する復号誤り検出ステップと、
をさらに有する請求項３に記載の通信品質推定方法。
【請求項１４】  前記第１及び第２のディジタル変調信号は、２次変調としてスペクトラム拡散処理が施された信号である
請求項１から請求項１３のいずれかに記載の通信品質推定方法。
【請求項１５】  前記第１及び第２のディジタル変調信号は、２次変調として周波数ホッピング処理が施された信号である
請求項１から請求項１３のいずれかに記載の通信品質推定方法。
【請求項１６】  前記第１及び第２のディジタル変調信号は、２次変調として直交周波数分割多重処理が施された信号である
請求項１から請求項１３のいずれかに記載の通信品質推定方法。
【請求項１７】  前記第１のディジタル変調信号はＭＳＫ変調信号であることを特徴とする請求項１から請求項１３のいずれかに記載の通信品質推定方法。
【請求項１８】  前記第１のディジタル変調信号はガウシアンフィルタにより帯域制限されたＧＭＳＫ変調信号であることを特徴とする請求項１から請求項１３のいずれかに記載の通信品質推定方法。
【請求項１９】  前記第１のディジタル変調信号はＦＳＫ変調信号であることを特徴とする請求項１から請求項１３のいずれかに記載の通信品質推定方法。
【請求項２０】  前記第１のディジタル変調信号はガウシアンフィルタにより送信帯域制限されたＧＦＳＫ変調信号であることを特徴とする請求項１から請求項１３のいずれかに記載の通信品質推定方法。
【請求項２１】  第１の変調方式でディジタル変調されて伝送された信号を受信し、シンボル毎の直交ＩＱベクトルを出力する受信手段と、
前記第１の変調方式と異なる第２の変調方式でディジタル変調して伝送した場合による前記第２の変調方式の通信品質を、前記出力された前記第１の変調方式のディジタル変調信号の信号点位置に対するしきい値判定により、擬似的に推定する通信品質擬似推定手段と
を具備する通信品質推定装置。
【請求項２２】  前記通信品質疑似推定手段は、
順次入力される前記第１の変調方式でディジタル変調された第１のディジタル変調信号の各シンボルのＩＱ平面上での平均位置と、前記第２の変調方式でディジタル変調される第２のディジタル変調信号の各シンボルのＩＱ平面上での理論上の分布状態とに基づいてＩＱ平面上でのしきい値を算出するしきい値算出手段と、
順次入力される前記第１のディジタル変調信号の各シンボルのＩＱ平面上での位置を前記しきい値と順次比較判定することにより、前記第２のディジタル変調信号の擬似的ビット誤り率を前記通信品質として算出する擬似的ビット誤り率算出手段と
を具備する請求項２１に記載の通信品質推定装置。
【請求項２３】  前記通信品質擬似推定手段は、
第１の変調方式でディジタル変調されて伝送された信号の信号点位置に基づいて前記信号の平均振幅を検出する平均振幅検出手段と、
前記平均振幅から前記第２の変調方式において信号が正しく受信できる信号点の位置の範囲をしきい値として算出するしきい値算出手段と、
受信した第１の変調方式の信号点位置が前記しきい値算出手段において算出された範囲内にない場合、誤りを検出したと推定する誤り判定手段と、
を具備する請求項２１に記載の通信品質推定装置。
【請求項２４】  第１の変調方式でディジタル変調されて伝送された信号を受信し、シンボル毎の直交ＩＱベクトルを出力する受信手段と、
前記第１の変調方式と異なる第２の変調方式で仮にディジタル変調して伝送した場合による前記第２の変調方式の通信品質を、前記出力された前記第１の変調方式のディジタル変調信号の信号点位置に対するしきい値判定により、擬似的に推定する通信品質擬似推定手段と、
前記通信品質擬似推定手段により得た擬似的な通信品質に関する情報を他の通信装置へ送信する送信手段と
を具備する通信装置。
【請求項２５】  前記送信手段は、前記通信品質擬似推定手段により得た擬似的な通信品質に基づいて、第２の変調方式の信号についての擬似的なＡＣＫ／ＮＡＣＫ信号を送信する、請求項２４に記載の通信装置。
【請求項２６】  送信する信号を制御信号に基づいて選択される第１の変調方式もしくは前記第１の変調方式とは異なる第２の変調方式で変調し送信する適応変調送信手段と、
前記第２の変調方式でディジタル変調して伝送した場合による前記第２の変調方式の受信ビット誤りを、通信相手が前記適応変調送信手段から第１の変調方式により変調送信された場合の受信復調結果に対するしきい値判定により、擬似的に検出した結果の報告用の送信を受信する受信手段と、を具備し、
前記変調手段は、前記擬似的な検出結果の報告内容が誤りを検出しない結果である場合、前記適応変調送信手段により選択される変調方式を前記第１の変調方式から前記第２の変調方式に切り替える適応変調制御手段と、
を具備する通信装置。
【請求項２７】  受信側において、
第１の変調方式と異なる第２の変調方式でディジタル変調して伝送した場合に受信ビット誤りが生じ得るかを、前記第１の変調方式でディジタル変調されて伝送された信号を前記第１の変調方式で復調して得られたシンボル毎の直交ＩＱベクトルに対するしきい値判定により、擬似的に検出し、前記検出結果を送信側へ通知し、
前記送信側において、前記通知内容に基づいて送信する信号の変調方式を変更する通信方法。
【請求項２８】  少なくとも互いに通信可能な第１及び第２の送受信局により構成される通信システムであって、
前記第２の送受信局は、前記第１の送受信局へ第１の変調方式によりディジタル変調を施して送信する送信手段を具備し、
前記第１の送受信局は、前記第２の送受信局による送信手段から第１の変調方式によりディジタル変調され送信された信号を受信復調してシンボル毎の直交ＩＱベクトルを出力する受信手段と、
送信する信号に対して制御信号に基づき選択的に第１もしくは第２の変調方式で変調処理を施した第１又は第２のディジタル変調信号を前記第２の送受信局に送信する適応変調送信手段と、
前記第１の変調方式と異なる第２の変調方式でディジタル変調して伝送した場合による前記第２の変調方式の通信品質を、前記受信手段から出力される直交ＩＱベクトルに対するしきい値判定により、擬似的に推定する通信品質擬似推定手段と、
前記通信品質疑似推定手段により得られた擬似的な通信品質に応じて、前記適応変調送信手段により選択される変調方式を制御する前記制御信号を出力する適応変調制御手段と
を具備する通信システム。
【請求項２９】  少なくとも互いに通信可能な第１及び第２の送受信局により構成される通信システムであって、
前記第１の送受信局は、
送信する信号に対して制御信号に基づき選択的に第１もしくは第２の変調方式で変調処理を施したディジタル変調信号を前記第２の送受信局に送信する適応変調送信手段と、
前記第２の送受信局から送信される選択信号を受信し出力する第１の受信手段と、
前記受信した選択信号に基づいて前記適応変調送信手段において選択する変調方式を制御する前記制御信号を出力する適応変調制御手段と、を具備し、
前記第２の送受信局は、
前記第１の送受信局から送信される第１もしくは第２の変調方式でディジタル変調された信号を受信復調し復調結果を出力する第２の受信手段と、
前記受信手段により前記第１の変調方式によりディジタル変調された信号の受信復調結果が出力される場合に、前記第１の変調方式と異なる第２の変調方式でディジタル変調して伝送した場合における前記第２の変調方式の通信品質を、前記受信復調結果に対するしきい値判定により、擬似的に推定する通信品質擬似推定手段と、
前記通信品質疑似推定手段により得られた擬似的な通信品質に関する情報を、前記第１の送受信局に設けられた前記送信手段における変調方式を選択させるための選択信号として送信する送信手段と
を具備する通信システム。
【請求項３０】  前記通信品質疑似推定手段は、
順次入力される前記第１の変調方式でディジタル変調された第１のディジタル変調信号の各シンボルのＩＱ平面上での平均位置と、前記第２の変調方式でディジタル変調される第２のディジタル変調信号の各シンボルのＩＱ平面上での理論上の分布状態とに基づいてＩＱ平面上でのしきい値を算出するしきい値算出手段と、
順次入力される前記第１のディジタル変調信号の各シンボルのＩＱ平面上での位置を前記しきい値と順次比較判定することにより、前記第２のディジタル変調信号の擬似的ビット誤り率を前記通信品質として算出する擬似的ビット誤り率算出手段と、
を具備する請求項２８又は請求項２９に記載の通信システム。
【請求項３１】  前記通信品質疑似推定手段は、
順次入力される前記第１の変調方式でディジタル変調された第１のディジタル変調信号の各シンボルのＩＱ平面上での平均位置と、前記第２の変調方式でディジタル変調される第２のディジタル変調信号の各シンボルのＩＱ平面上での理論上の分布状態とに基づいてＩＱ平面上でのしきい値を算出するしきい値算出手段と、
前記第２の変調方式で信号をディジタル変調して伝送した場合のビット誤りを、順次入力される前記第１のディジタル変調信号の各シンボルのＩＱ平面上での位置を前記しきい値と順次比較判定することにより、擬似的に検出する疑似誤り検出手段と、
を具備する請求項２８又は請求項２９に記載の通信システム。
【請求項３２】  前記第１及び第２の送受信局は、同一周波数チャネルで時分割複信による双方向通信を行うものである
請求項２８に記載の通信システム。
【請求項３３】  前記第１及び第２の送受信局は、異なる周波数チャネルで周波数分割複信による双方向通信を行うものである
請求項２９に記載の通信システム。
【請求項３４】  コンピュータに、
受信した第１の変調方式のディジタル変調信号の信号点位置を求める第１の手順と、
第１の変調方式と異なる第２の変調方式でディジタル変調して伝送した場合による前記第２の変調方式の通信品質を、前記信号点位置に基づいて、擬似的に推定する第２の手順と
を実行させるプログラム。
【請求項３５】  前記第２の手順は、
順次入力される前記第１の変調方式でディジタル変調された第１のディジタル変調信号の各シンボルのＩＱ平面上での平均位置と、前記第２の変調方式でディジタル変調される第２のディジタル変調信号の各シンボルのＩＱ平面上での理論上の分布状態とに基づいてＩＱ平面上でのしきい値を算出するしきい値算出手順と、
順次入力される前記第１のディジタル変調信号の各シンボルのＩＱ平面上での位置を前記しきい値と順次比較判定することにより、前記第２のディジタル変調信号の擬似的ビット誤り率を前記通信品質として算出する擬似的ビット誤り率算出手順と
を含む請求項３４に記載のプログラム。
【請求項３６】  前記第２の手順は、
順次入力される前記第１の変調方式でディジタル変調された第１のディジタル変調信号の各シンボルのＩＱ平面上での平均位置と、前記第２の変調方式でディジタル変調される第２のディジタル変調信号の各シンボルのＩＱ平面上での理論上の分布状態とに基づいてＩＱ平面上でのしきい値を算出するしきい値算出手順と、
順次入力される前記第１のディジタル変調信号の各シンボルのＩＱ平面上での位置を前記しきい値と順次比較判定することにより、前記第２変調方式で信号をディジタル変調して伝送した場合のビット誤りを擬似的に検出する疑似誤り検出手順と
を含む請求項３４に記載のプログラム。